(57)【要約】【課題】浴室の建具とすることで、脱衣室側から入浴者の全体のシルエットが透けて見えることがないと共に、異常時には入浴者を脱衣室側から確認できる浴室建具とする。【解決手段】建具体２を、枠３の開口全面の見込み方向一方寄りに取付けた透光を有する第１面材（浴室側面材４）と、前記枠３の開口の見込み方向他方寄りに設けた第２面材（脱衣室側面材５）を有して２つの面材が間隔を置いて重なり合った二重面材部分２ａと、第１面材のみの採光部分２ｂを備えたものとして、浴室の建具として用いることで、前記二重面材部分２ａによって入浴者のシルエットが脱衣室側から見えづらく入浴者の全体のシルエットが透けて見えることがなく、前記採光部２ｂから入浴者を確認できるようにした建具。【選択図】図３
2010065451.tif 000002
【特許請求の範囲】
【請求項１】
枠体に建具体を開閉自在に取付けた建具であって、
前記建具体は、枠の開口全面の見込み方向一方寄りに取付けた透光を有する第１面材と、前記枠の開口の見込み方向他方寄りに設けた第２面材を備え、第１面材と第２面材が間隔を置いて重なり合った二重面材部分と、第１面材のみの採光部を有することを特徴とする建具。
【請求項２】
前記第２面材を、スペーサ部材を介して第１面材の第２面材側面に取付けた請求項１記載の建具。
【請求項３】
前記スペーサ部材を、前記枠の上枠材と下枠材との間に設け、
前記スペーサ部材を第１面材の第２面材側面に接着して取付けると共に、前記スペーサ部材を前記上枠材、下枠材にビスで固着した請求項２記載の建具。
【請求項４】
前記建具は、浴室建具であって、
前記建具体の枠の見込み方向一方は浴室側、他方は脱衣室側であり、
前記建具体の第１面材は浴室側面材、第２面材は脱衣室側面材である請求項１〜３いずれか１項に記載の建具。
【請求項５】
前記浴室側面材と前記脱衣室側面材との間に空間部を形成し、前記スペーサ部材に前記空間部を外部に連通する通気部を設けた請求項４記載の建具。
【発明の詳細な説明】
【技術分野】
【０００１】
本発明は、浴室の出入口に用いる浴室建具などの建具に関する。
【背景技術】
【０００２】
従来、浴室建具としては、枠体にドアや障子などの建具体を開閉自在に取付けたものが一般的で、その建具体としては枠に面材を取付けたものが知られている。
例えば、特許文献１に開示されたように、枠の浴室側と脱衣室側とに透明、あるいは半透明の面材をそれぞれ取付けたドアが知られている。
【特許文献１】特開２００２−２８５７６３号公報
【発明の開示】
【発明が解決しようとする課題】
【０００３】
前述した従来の浴室建具は、ドアの枠に取付けた面材が透明、あるいは半透明の面材、つまり透光性面材であるから、脱衣室側から入浴者の全体のシルエットが透けて見えてしまうので好ましくない。
このことを解消するには、面材を遮光性面材として脱衣室側から入浴者の全体のシルエットが透けて見えないようにすることが考えられるが、このようにすると、入浴者が浴室内で倒れたりした異常時に、入浴者を脱衣室側から確認できず、救出が困難となってしまう。
また、学校の教室のドア、会議室のドア等の建具の場合には、内部が明確に見える建具であると好ましくないが、全く見えないと内部の状況を知ることができない。
【０００４】
本発明の目的は、内部が明確に見えることがないが、内部の状況を知ることができる建具、特に脱衣室側から入浴者の全体のシルエットが透けて見えることがないと共に、異常時には入浴者を脱衣室側から確認できるようにした浴室の建具を提供することである。
【課題を解決するための手段】
【０００５】
本発明は、枠体に建具体を開閉自在に取付けた建具であって、
前記建具体は、枠の開口全面の見込み方向一方寄りに取付けた透光を有する第１面材と、前記枠の開口の見込み方向他方寄りに設けた第２面材を備え、第１面材と第２面材が間隔を置いて重なり合った二重面材部分と、第１面材のみの採光部を有することを特徴とする建具である。
【０００６】
本発明においては、前記第２面材を、スペーサ部材を介して第１面材の第２面材側面に取付けることができる。
このようにすれば、枠は第２側面材を取付けできる形状でなくとも良いから、通常の枠を用いることができる。
また、第２面材を任意の形状とすることができる。
【０００７】
本発明においては、前記スペーサ部材を、前記枠の上枠材と下枠材との間に設け、
前記スペーサ部材を第１面材の第２面材側面に接着して取付けると共に、前記スペーサ部材を前記上枠材、下枠材にビスで固着することができる。
このようにすれば、浴室側面材と枠を縦材で補強することができる。
【０００８】
本発明においては、前記建具は、浴室建具であって、
前記建具体の枠の見込み方向一方は浴室側、他方は脱衣室側であり、
前記建具体の第１面材は浴室側面材、第２面材は脱衣室側面材とすることができる。
このようにすれば、二重面材部分において脱衣室側面材と浴室側面材が間隔を置いて重なり合っているから、その二重面材部分において脱衣室側から入浴者のシルエットが見えづらく、脱衣室側から入浴者の全体のシルエットが透けて見えることがない。
また、採光部分は透光性面材の浴室側面材のみであるから、その採光部分から浴室内を見ることができ、異常時には入浴者を脱衣室側から確認できる。
【０００９】
本発明においては、前記浴室側面材と前記脱衣室側面材との間に空間部を形成し、前記スペーサ部材に前記空間部を外部に連通する通気部を設けることができる。
このようにすれば、空間部に空気が流通するので、空間部内に結露が発生することがない。
【発明の効果】
【００１０】
本発明によれば、二重面材部分があるので内部が明確に見えることがないが、採光部分から内部の状況を知ることができる。
【発明を実施するための最良の形態】
【００１１】
図１〜図３に示すように、枠体１に建具体２を開閉自在に取付けて浴室建具としてある。
前記枠体１は、上枠１０と下枠１１と左右の縦枠１２，１２を方形状に連結してある。
この枠体１は、建物躯体の浴室出入口用の開口部に取付けられる。
なお、建物躯体の浴室出入口用の開口部自体を枠体とすることもできる。
前記建具体２は、枠３に浴室側面材４と脱衣室側面材５を取付けてある。
前記枠３は、上枠材（上框）３０と下枠材（下框）３１と左右の縦枠材（縦框）３２，３２を方形状に連結してある。
前記浴室側面材４は透光を有する面材である。
前記脱衣室側面材５は前記浴室側面材４よりも脱衣室側寄りに取付けてあり、浴室側面材４と脱衣室側面材５は離隔して両者の間には間隔を有している。
前記浴室側面材４は枠３の開口３ａにおける浴室側寄りの全面に亘って取付けてあるが、前記脱衣室側面５は枠３の開口３ａにおける脱衣室側寄りの一部分に設けてある。
要するに、脱衣室側面材５の面積は浴室側面材４の面積よりも小さい。
【００１２】
これによって、建具体２は、浴室側面材４と脱衣室側面材５が間隔を置いて重なり合った二重面材部分（サンドイッチパネルゾーン）２ａと浴室側面材４のみの採光部分（採光ゾーン）２ｂを有する。
したがって、脱衣室側から建具体２を見たときに、二重面材部分２ａからは浴室内はほとんど見えず、採光部分２ｂを通して浴室内が透かして見えるから、その採光部分２ｂのみを透して入浴者のシルエットが見える程度で、脱衣室側から入浴者の全体のシルエットが透けて見えることがない。
また、入浴者が倒れた場合などの異常時には、脱衣室側の人が採光部分２ｂに近づき、その採光部分２ｂから浴室内を注意深く見ることで、浴室内で倒れている入浴者を確認できるから、異常時には入浴者を脱衣室側から確認できる。
【００１３】
前述の実施の形態では浴室建具としたが、学校の教室のドア、会議室のドア等の建具としても利用できる。
この場合には、浴室側面材４を第１面材とし、枠１の開口全面の見込み方向一方寄りに取付け、脱室側面材５を第２面材とし、枠１の開口の見込み方向他方寄りに設ければ良い。
また、第２部材をスペーサ部材を介して第１面材の第２面材側面（脱衣室側面）に取付ければ良い。
このように、学校の教室のドア、会議室のドア等の建具とすれば、その二重面材部分２ａがあるから教室、会議室の内部が明確に見えることがないが、採光部分２ｂから教室、会議室の内部の状況を知ることができる。
【００１４】
前述の実施の形態では、脱衣室側面材（第２面材）５を枠３の開口の脱衣室側寄り（見込み方向他方寄り）の一部分に取付けたが、脱衣室側面材５を枠３の開口全面の脱衣室側寄りに取付け、その脱衣室側面材５に、丸穴、矩形穴、三角穴などの開口部を形成し、その開口部と浴室側面材４との間を採光部２ｂとし、開口部以外の部分と浴室側面材４とで二重面材部分２ａとしても良い。
【００１５】
次に、各部の詳細を説明する。
前記上枠材３０、下枠材３１、左右の縦枠材３２は、その浴室側寄りに内向凹部３３を有し、この各内向凹部３３は四周連続している。
前記浴室側面材４は、前記各内向凹部３３に亘って嵌め込んで取付けてある。
前記浴室側面材４は強化ガラスなどのガラスで、その脱衣室側面４ａには飛散防止フィルム６が貼着してある。
この飛散防止フィルム６は、前述の脱衣室側面材５と対向した部分（二重面材部分２ａ）には、意匠性を有した非透過性のフィルム６ａを用い、他の部分（採光部分２ｂ）には意匠性を有しない透明もしくは透過性のフィルム６ｂを用いている。
このようにすることで、浴室側から見たときに意匠性を有したフィルム６ａが見え、脱衣室側面材５が見えないと共に、意匠性を有しないフィルム６ｂを透して脱衣室側の光が見えるので、浴室側からの見栄えが良い。
前述の飛散防止フィルム６は浴室側面材４の浴室側面に貼着しても良い。
なお、浴室側面材４はガラスに限ることはなく樹脂プレートなどでも良い。
【００１６】
前記脱衣室側面材５は、透明面材に透過性を有しないフィルムを貼着した透過性のない面材である。
これに限ることはなく、脱衣室側面材５はプリント鋼板、アルミ複合板など透過性のない面材自体としても良い。
また、脱衣室側面材５は透過性を有する面材としても良い。
要するに、脱衣室側面材５は浴室側面材４と間隔を置いているので、その脱衣室側面材５が透過性を有した面材であっても浴室側面材４のために浴室内が透過しづらく、脱衣室側から入浴者の全体のシルエットが透けて見えることがない。
【００１７】
前記脱衣室側面材５はスペーサ部材７を介して浴室側面材４の脱衣室側面４ａに固着し、前記上枠材３０、下枠材３１、左右の縦枠材３２、つまり枠３に脱衣室側面材５を取付けしていない。
このようにすれば、枠３を、脱衣室側面材４が取付け可能な形状とする必要がなく、浴室側面材４を取付けできる通常一般の枠を用いることができる。
【００１８】
例えば、脱衣室側面材５を、図１に示すように、上枠材３０の下面３０ａと下枠材３１の上面３１ａとの間の寸法（枠３の上下寸法）と略同一の長さで、左右の縦枠材３２の内側面３２ａ間の寸法（枠３の幅寸法）よりも小さい幅の矩形状とする。
この脱衣室側面材５の左右縦縁部に沿って左右の縦材４０を両面粘着テープ、接着剤、ボルト等で固着して取付けてスペーサ部材７とする。
この左右の縦材４０を浴室側面材４の脱衣室側面４ａに固着手段、例えば接着剤、両面粘着テープなどで接着して固定して取付ける。
このようにすれば、採光部分２ｂが上枠材３０と下枠材３１とに連続した縦長の矩形状となるので、脱衣室側から浴室内の上下方向全体を見ることが可能である。
前述の場合に、縦材４０の上面４０ａ、下面４０ｂを上枠材３０の下面３０ａ、下枠材３１の上面３１ａに接することが好ましい。
【００１９】
前記縦材４０は、本体４１に押え片４２を弾性的に係合して取付けたもので、その本体４１と押え片４２で脱衣室側面材５を挟持して取付ける。
【００２０】
前述のように縦材４０の上面４０ａ、下面４０ｂを上枠材３０の下面３０ａ、下枠材３１の上面３１ａに接するようにした場合には、図３に示すように、浴室側面材４と脱衣室側面材５の間に密閉された空間部８が形成され、その空間部８内が結露する恐れがあるので、縦材４０に通気部を形成して空間部８内に空気が流通して結露が発生しないようにする。
【００２１】
例えば、図４、図５に示す第２の実施の形態のように、採光部分２ｂと隣接した縦材４０の本体４１を中空形状とし、その両側片４１ａに通気部、例えば通気孔４３をそれぞれ形成し、前述の浴室側面材４と脱衣室側面材５との間に形成した空間部８を通気孔４３を通して外部に連通する。
【００２２】
前述の第２の実施の形態においては、縦材４０（本体４１）にビスホール４４を形成し、上枠材３０からビス４５をビスホール４４に螺合して縦材４０の上部を上枠材３０に固着して連結し、下枠材３１からビス４５をビスホール４４に螺合して縦材４０の下部を下枠材３１に固着して連結してある。
このようにすれば、縦材４０によって浴室側面材４と上枠材３０、下枠材３１（つまり、枠３）が連結されて枠３を補強することができる。
【００２３】
前述の各実施の形態では脱衣室側面材５を枠３の左右方向一方側に上下方向に連続して設けたが、これに限ることはない。
例えば、図６に示すように左右方向中間部に脱衣室側面材５を設け、その脱衣室側面材５の左右両側に採光部分２ｂを有する形態とする。
また、図７に示すように、枠３の左右両側部に脱衣室側面材５をそれぞれ設け、この左右の脱衣室側面材５間の左右方向中間部を採光部分２ｂを有する形態とする。
また、図８に示すように脱衣室側面材５を枠３の中央部に設け、その脱衣室側面材５の外周面と枠３の内周面との間に採光部分２ｂを有する形態とする。
【００２４】
また、脱衣室側面材５は矩形状に限ることはなく、図９に示すようにほぼ平行四辺形状として、上枠材３０と一方の縦枠材３２とのコーナー部及び下枠材３１と他方の縦枠材３２のコーナー部に三角形状の採光部分２ｂを有する形態とする。
また、図１０に示すように脱衣室側面材５を菱型形状として４つのコーナー部に三角形状の採光部分２ｂを有する形態とする。
なお、図示はしないが脱衣室側面材５は丸形状、三角形状など任意の形状とすることができるし、複数の脱衣室側面材５を取付けるようにしても良い。
【００２５】
前述の各実施の形態ではスペーサ部材７を中空の形材としたが、木材などによって中実形状としても良い。
また、脱衣室側面材５とスペーサ部材７を一体としても良い。
例えば、図１１に示すように、アクリル板、ポリカーボネート板などの樹脂プレート５０を、表面板５１と、両側面板５２と、内向片５３で断面ほぼコ字形状とする。
そして、前記内向片５３を浴室側面材４の脱衣室側面４ａに固着手段、例えば接着剤、両面粘着テープなどに固着して取付け、前記表面板５１を脱衣室側面材５とし、側面板５２をスペーサ部材７とする。
【００２６】
前記各実施の形態では、スペーサ部材７を脱衣室側面材５の端縁の全長に亘って連続した長尺物としたが、短尺物としても良いし、前記固着手段はボルトとナットとすることもできる。
例えば、図１２、図１３、図１４に示すように、脱衣室側面材５の浴室側面５ａと浴室側面材４の脱衣室側面４ａとの間に筒体６０を介在し、脱衣室側面材５の孔５ｂからボルト６１を挿入し、筒体６０を通して浴室側面材４の孔４ｂに挿入して浴室側面４ｃから突出し、その突出部分にナット６２を螺合して浴室側面材４に脱衣室側面材５を筒体６０を介して固着して取付ける。
これによって、筒体６０がスペーサ部材７でボルト６１とナット６２が固着手段である。
【００２７】
以上の各実施の形態では、脱衣室側面材５をスペーサ部材７を介して浴室側面材４に固着して枠３に設けたが、脱衣室側面材５を枠３にのみ固着して枠３に設けても良い。
例えば、上枠材３０、下枠材３１又は左右の縦枠材３２の脱衣室側部分に、ブラケットを固着するか、突片を一体に設け、そのブラケット又は突片に脱衣室側面材５を固着手段で固着して取付ける。
または、前述した縦材４０を上枠材３０、下枠材３１にビスで固着して取付ける。
要するに、脱衣室側面材５は枠３に設ければ良い。
【図面の簡単な説明】
【００２８】
【図１】本発明の第１の実施の形態を示す浴室建具の浴室側正面図である。
【図２】図１のＡ−Ａ拡大詳細断面図である。
【図３】図１のＢ−Ｂ拡大詳細断面図である。
【図４】本発明の第２の実施の形態を示す浴室建具の横断面図である。
【図５】図４のＣ−Ｃ断面図である。
【図６】本発明の第３の実施の形態を示す浴室建具の脱衣室側正面図である。
【図７】本発明の第４の実施の形態を示す浴室建具の脱衣室側正面図である。
【図８】本発明の第５の実施の形態を示す浴室建具の脱衣室側正面図である。
【図９】本発明の第６の実施の形態を示す浴室建具の脱衣室側正面図である。
【図１０】本発明の第７の実施の形態を示す浴室建具の脱衣室側正面図である。
【図１１】本発明の第８の実施の形態を示す浴室建具の横断面図である。
【図１２】本発明の第９の実施の形態を示す浴室建具の脱衣室側正面図である。
【図１３】図１２のＤ−Ｄ拡大詳細断面図である。
【図１４】図１３のＥ−Ｅ断面図である。
【符号の説明】
【００２９】
１…枠体、２…縦具体、３…枠、３ａ…開口、４…浴室側面材、４ａ…脱衣室側面、５…脱衣室側面材、７…スペーサ部材、８…空間部、３０…上枠材、３１…縦枠材、４０…縦材、４３…通気孔（通気部）、４５…ビス。
【図１】
2010065451.tif 000003
【図２】
2010065451.tif 000004
【図３】
2010065451.tif 000005
【図４】
2010065451.tif 000006
【図５】
2010065451.tif 000007
【図６】
2010065451.tif 000008
【図７】
2010065451.tif 000009
【図８】
2010065451.tif 000010
【図９】
2010065451.tif 000011
【図１０】
2010065451.tif 000012
【図１１】
2010065451.tif 000013
【図１２】
2010065451.tif 000014
【図１３】
2010065451.tif 000015
【図１４】
2010065451.tif 000016